(57)【要約】      （修正有）【課題】薬物送料機構及びそれを応用した送料循環システムを提供する。【解決手段】循環システムは物料保存区、輸送ユニット２、入料区、送料機構４、検査測定分類区５(或いは計数、装填区)などにより組成し、検査測定、計数、或いは装填を行おうとする薬物は該入料区から送料スライド板１０上のスライド道に沿って落下すると、直線状態で整列移動し、しかも移動過程において、該方向斎整ろかユニットを利用し該各薬物の排列状態に対して篩い分けを行い、整然と排列した薬物は方向斎整ろかユニット２０を通過することができ、さらに後続の検査測定或いは計数、装填動作を継続し行うことができる。排列が整然としていない薬物は該方向斎整ろかユニットを通過することができず、該物料保存区に落ち、次の送料ろ過動作が行われるのを待つ。【選択図】図１
0003142668.tif 000002
【実用新案登録請求の範囲】
【請求項１】
送料スライド板と方向斎整ろかユニットを含み構成し、
該送料スライド板上には少なくとも１本のスライド道を形成し、該スライド道は直線構造を呈し、しかも両側には幾何形状変化を呈する定位面を形成し、各種異なるサイズの薬物を同時にスライド移動させることができ、
該方向斎整ろかユニットは該スライド道の数量に応じて該スライド道の相対端に設置し、ろ芯とふるい孔により組成し、該ろ芯は少なくとも１個の貫通したろ孔を備え、しかも該ろ孔の中心は該各薬物の該スライド道上に位置する時の中心位置に対応し、定方向で移動する薬物をスライド移動通過させることができ、該ふるい孔は該ろ芯と該スライド道間に設置し、該ろ芯と該送料スライド板により区画され、こうして定方向でない移動を行う薬物はそのスライド移動ルートから離脱し、
これにより様々な顆粒薬物の輸送に必要な送料スライド板を省くことができ、同時に薬物の検査測定或いは計数、装填の歩留り、品質を向上させることができることを特徴とする薬物送料機構。
【請求項２】
請求項１記載の薬物送料機構において、前記ろ芯上には若干のろ孔を形成し、該各ろ孔の孔径サイズは、検査測定しようとする様々な顆粒状薬物の円径サイズに応じて設計し、しかも様々な薬物の外径サイズの変化に従い、該各ろ孔の該ろ芯上に位置する中心位置は異なり、こうして該ろ芯は様々なサイズの薬物に対して調整を行う時、該各薬物の該スライド道上に位置する中心位置に正確に対応することができることを特徴とする薬物送料機構。
【請求項３】
請求項１或いは請求項２記載の薬物送料機構において、前記ろ芯は該薬物を通過させるろ孔に相対する反対端にさらに導管を接続し、該導管と該ろ芯間は可動接続を呈し、該ろ芯を手動或いは自動方式で回転動させる時、該各ろ孔はすべて該導管に対応し、こうして薬物は定方向、安定した状態で検査測定分類区(或いは計数、装填区)に到達することができることを特徴とする薬物送料機構。
【請求項４】
請求項１記載の薬物送料機構において、前記送料スライド板及びろ芯が一体に結合する構造である場合には、該ふるい孔は該スライド道が該ろ孔に接続する端面の適当な位置に貫通し形成することを特徴とする薬物送料機構。
【請求項５】
請求項１記載の薬物送料機構において、前記スライド道両側の定位面は一定角度の傾斜構造を呈し、おおむねＶ字型を呈し、こうして異なる円径サイズのカプセル薬物のスライド移動に適用可能となることを特徴とする薬物送料機構。
【請求項６】
物料保存区、輸送ユニット、入料区、送料機構、検査測定分類区(或いは計数、装填区)などにより組成する顆粒状薬物の検査測定、計数或いは装填に用いる薬物の送料循環システムにおいて、
該物料保存区は検査測定或いは計数、装填輸送しようとする薬物の収納、補完、保存に用い、
該輸送ユニットは該物料保存区と該入料区の間に設置し、該物料保存区に位置する薬物を該入料区へと輸送し、
該入料区は該各検査測定、計数或いは装填しようとする薬物が送料行程に入る起点で、該送料機構は送料スライド板と方向斎整ろかユニットにより構成し、篩い分け機能を備える送料行程で、該送料スライド板上には少なくとも１本のスライド道を形成し、該スライド道は直線構造を呈し、しかも両側には幾何形状変化を呈する定位面を形成し、各種異なるサイズの薬物を同時にスライド移動させることができ、
該方向斎整ろかユニットは該スライド道の数量に応じて該スライド道の相対端に設置し、ろ芯とふるい孔により組成し、該ろ芯は少なくとも１個の貫通したろ孔を備え、しかも該ろ孔の中心は該各薬物の該スライド道上に位置する時の中心位置に対応し、定方向で移動する薬物をスライド移動通過させることができ、該ふるい孔は該ろ芯と該スライド道間に設置し、該ろ芯と該送料スライド板により区画され、こうして定方向でない移動を行う薬物はそのスライド移動ルートから離脱し、該物料保存区に戻り、
該検査測定分類区(或いは計数、装填区)は該各薬物送料行程の終点で、該各薬物は安定し、向きが定まった状態で、後続の検査測定、計数、或いは装填作業を行うことができ、  こうして自動循環輸送システムを利用し、及び送料過程中において予め該各薬物に対して篩い分け動作を行うことで、顆粒状薬物の検査測定分類、計数、或いは装填の正確性と品質を向上させることができ、さらには様々な顆粒薬物の輸送に必要な送料スライド板を省くことができることを特徴とする薬物の送料循環システム。
【請求項７】
請求項６記載の薬物の送料循環システムにおいて、前記輸送ユニットは輸送管路と真空吸い取り器により組成し、該輸送管路両端はそれぞれ該物料保存区と該入料区に接続し、該真空吸い取り器は該輸送管路中段の適当な位置に設置し、こうして真空流体方式で薬物の循環輸送を行うことができることを特徴とする薬物の送料循環システム。
【請求項８】
請求項６記載の薬物の送料循環システムにおいて、前記ろ芯上には若干のろ孔を形成し、該各ろ孔の孔径サイズは、検査測定しようとする様々な顆粒状薬物の円径サイズに応じて設計し、しかも様々な薬物の外径サイズの変化に従い、該各ろ孔の該ろ芯上に位置する中心位置は異なり、こうして該ろ芯は様々なサイズの薬物に対して調整を行う時、該各薬物の該スライド道上に位置する中心位置に正確に対応することができることを特徴とする薬物の送料循環システム。
【請求項９】
請求項６或いは請求項８記載の薬物の送料循環システムにおいて、前記ろ芯は該薬物を通過させるろ孔に相対する反対端にさらに導管を接続し、該導管と該ろ芯間は可動接続を呈し、該ろ芯を手動或いは自動方式で回転動させる時、該各ろ孔はすべて該導管に対応し、こうして薬物は定方向、安定した状態で検査測定分類区(或いは計数、装填区)に到達することができることを特徴とする薬物の送料循環システム。
【請求項１０】
請求項６記載の薬物の送料循環システムにおいて、前記送料スライド板及びろ芯が一体に結合する構造である場合には、該ふるい孔は該スライド道が該ろ孔に接続する端面の適当な位置に貫通し形成することを特徴とする薬物の送料循環システム。
【請求項１１】
請求項６記載の薬物の送料循環システムにおいて、前記スライド道両側の定位面は一定角度の傾斜構造を呈し、おおむねＶ字型を呈し、こうして異なる円径サイズのカプセル薬物のスライド移動に適用可能となることを特徴とする薬物の送料循環システム。
【考案の詳細な説明】
【技術分野】
【０００１】
本考案は輸送技術に関する。特に顆粒状薬物の検査測定或いは計数、装填時の輸送循環システム及びその構造に関する送料機構及びそれを応用した送料循環システムに係る。
【背景技術】
【０００２】
医薬技術の成熟に従い、治療用薬品、或いは保健用ビタミン剤などのほとんどは、カプセル或いは錠剤状構造を呈し、使用者の携帯、服用の利便性が図られている。かつては薬物外観の検査測定は人手により行い、薬物の計数、装填、包装は公知の機器によっていたが、その薬物検査測定或いは計数、装填の輸送技術は効率と品質において、各種薬物使用必要量の増加に比べ成長が明らかに遅く、品質は劣り、計数、装填時に数量の誤差が大きくなるという弊害を招いていた。
よって、新型の自動式顆粒状薬物検査測定の機器が開発された。
【０００３】
現在欧米市場と日本市場では、完全に自動化された検査測定機器(以下のサイトで掲示する機器など。{ "http://www.qualicaps.co.jp/img/machine/MC11.SWF"  ,http://www.qualicaps.co.jp/img/machine/MC11.SWF}  { "http://www.seidenader.de/2-SDR-e/2130-Tabletten.html"  ,http://www.seidenader.de/2-SDR-e/2130-Tabletten.html}  以下公知の機器と略称する)などが見られる。
該各公知機器の共通の方式は異なる検査測定ジグ(異なる凹槽など)を利用し、真空吸い取り技術を組合せ、大きさの規格が異なるカプセルや錠剤を検査測定するものである。よって、その構造組成及び応用技術は非常に複雑で、製造コストも極めて高い。さらに使用においては、製薬メーカーが様々なサイズの薬物の検査測定を行う必要がある時には、関連人員に適した機械領域の能力がなければ、異なる検査測定ジグの交換を行うことができず、しかも交換作業はかなりの時間と労力を費やすという問題点がある。この問題を回避するためには、既に設置が完成した各タイプ、サイズ規格別の検査測定機器を購入する必要があり、これではコスト負担が増大してしまう。
よって、構造が簡単かつ精巧で、メンテナンス或いは機器の部品組成が容易で、しかも異なるサイズの薬品の検査測定を行う時に、輸送ジグを交換する必要のない機器設備の開発が待たれている。
【考案の開示】
【考案が解決しようとする課題】
【０００４】
本考案の目的は、薬物送料機構及びそれを応用した送料循環システムを提供する。薬物の検査測定或いは計数、装填時に必要な輸送技術で、簡単で精巧な自動化循環の構造形態により、薬物に検査測定、計数或いは装填を行う前に、同時に篩い分け動作を行うことができ、こうして送料の歩留りと品質を向上させる。
【０００５】
薬物送料機構及びそれを応用した送料循環システムは物料保存区、輸送ユニット、入料区、送料機構、検査測定分類区(或いは計数、装填区)などにより組成する顆粒状薬物の検査測定、計数或いは装填に用いる循環システムで、
該輸送ユニットは該物料保存区と該入料区の間に設置し、輸送管路と真空吸い取り器により組成し、該輸送管路両端はそれぞれ該物料保存区と該入料区の適当な位置に接続し、該真空吸い取り器は該輸送管路中段の適当な位置に設置し、こうして真空流体方式で、該物料保存区に位置する薬物を該入料区へと輸送し、
該送料機構は該入料区と該検査測定分類区(或いは計数、装填区)の間に設置し、送料スライド板と方向斎整ろかユニットにより構成し、該送料スライド板上には少なくとも１本のスライド道を形成し、該スライド道は直線構造を呈し、しかも両側には幾何形状変化を呈する定位面を形成し、各種異なるサイズの薬物を同時にスライド移動させることができ、
該方向斎整ろかユニットは該スライド道の数量に応じて該スライド道の相対端に設置し、ろ芯とふるい孔により組成し、該ろ芯は若干の貫通したろ孔を備え、該各ろ孔の孔径サイズは、検査測定しようとする様々な顆粒状薬物の円径サイズに応じて設計し、しかも様々な薬物の外径サイズの変化に従い、該各ろ孔の該ろ芯上に位置する中心位置は異なり、こうして該ろ芯は様々なサイズの薬物に対して調整を行う時、該各薬物の該スライド道上に位置する中心位置に正確に対応することができ、定方向で移動する薬物をスライド移動通過させることができ、該ふるい孔は該ろ芯と該スライド道間に設置し、貫通した孔空間で、定方向でない移動を行う薬物は該ろ孔を通過できない時には、そのスライド移動ルートから離脱し、該物料保存区に落下し、
こうして検査測定或いは計数、装填輸送しようとする薬物は直線状態で整列移動し、しかも移動過程において、該方向斎整ろかユニットを利用し該各薬物の排列状態に対して検査測定或いは計数、装填前の篩い分けを行い、
こうして薬物の検査測定分類、計数、或いは装填の歩留りと品質を向上させることができ、さらには異なるサイズの薬物を輸送する時に必要な送料モールドの数量と交換上の不便を省くことができる。
【課題を解決するための手段】
【０００６】
請求項１の考案は、送料スライド板と方向斎整ろかユニットを含み構成し、
該送料スライド板上には少なくとも１本のスライド道を形成し、該スライド道は直線構造を呈し、しかも両側には幾何形状変化を呈する定位面を形成し、各種異なるサイズの薬物を同時にスライド移動させることができ、
該方向斎整ろかユニットは該スライド道の数量に応じて該スライド道の相対端に設置し、ろ芯とふるい孔により組成し、該ろ芯は少なくとも１個の貫通したろ孔を備え、しかも該ろ孔の中心は該各薬物の該スライド道上に位置する時の中心位置に対応し、定方向で移動する薬物をスライド移動通過させることができ、該ふるい孔は該ろ芯と該スライド道間に設置し、該ろ芯と該送料スライド板により区画され、こうして定方向でない移動を行う薬物はそのスライド移動ルートから離脱し、
これにより様々な顆粒薬物の輸送に必要な送料スライド板を省くことができ、同時に薬物の検査測定或いは計数、装填の歩留り、品質を向上させることができることを特徴とする薬物送料機構としている。
請求項２の考案は、請求項１記載の薬物送料機構において、前記ろ芯上には若干のろ孔を形成し、該各ろ孔の孔径サイズは、検査測定しようとする様々な顆粒状薬物の円径サイズに応じて設計し、しかも様々な薬物の外径サイズの変化に従い、該各ろ孔の該ろ芯上に位置する中心位置は異なり、こうして該ろ芯は様々なサイズの薬物に対して調整を行う時、該各薬物の該スライド道上に位置する中心位置に正確に対応することができることを特徴とする薬物送料機構としている。
請求項３の考案は、請求項１或いは請求項２記載の薬物送料機構において、前記ろ芯は該薬物を通過させるろ孔に相対する反対端にさらに導管を接続し、該導管と該ろ芯間は可動接続を呈し、該ろ芯を手動或いは自動方式で回転動させる時、該各ろ孔はすべて該導管に対応し、こうして薬物は定方向、安定した状態で検査測定分類区(或いは計数、装填区)に到達することができることを特徴とする薬物送料機構としている。
請求項４の考案は、請求項１記載の薬物送料機構において、前記送料スライド板及びろ芯が一体に結合する構造である場合には、該ふるい孔は該スライド道が該ろ孔に接続する端面の適当な位置に貫通し形成することを特徴とする薬物送料機構としている。
請求項５の考案は、請求項１記載の薬物送料機構において、前記スライド道両側の定位面は一定角度の傾斜構造を呈し、おおむねＶ字型を呈し、こうして異なる円径サイズのカプセル薬物のスライド移動に適用可能となることを特徴とする薬物送料機構としている。
【０００７】
請求項６の考案は、物料保存区、輸送ユニット、入料区、送料機構、検査測定分類区(或いは計数、装填区)などにより組成する顆粒状薬物の検査測定、計数或いは装填に用いる薬物の送料循環システムにおいて、
該物料保存区は検査測定或いは計数、装填輸送しようとする薬物の収納、補完、保存に用い、
該輸送ユニットは該物料保存区と該入料区の間に設置し、該物料保存区に位置する薬物を該入料区へと輸送し、
該入料区は該各検査測定、計数或いは装填しようとする薬物が送料行程に入る起点で、該送料機構は送料スライド板と方向斎整ろかユニットにより構成し、篩い分け機能を備える送料行程で、該送料スライド板上には少なくとも１本のスライド道を形成し、該スライド道は直線構造を呈し、しかも両側には幾何形状変化を呈する定位面を形成し、各種異なるサイズの薬物を同時にスライド移動させることができ、
該方向斎整ろかユニットは該スライド道の数量に応じて該スライド道の相対端に設置し、ろ芯とふるい孔により組成し、該ろ芯は少なくとも１個の貫通したろ孔を備え、しかも該ろ孔の中心は該各薬物の該スライド道上に位置する時の中心位置に対応し、定方向で移動する薬物をスライド移動通過させることができ、該ふるい孔は該ろ芯と該スライド道間に設置し、該ろ芯と該送料スライド板により区画され、こうして定方向でない移動を行う薬物はそのスライド移動ルートから離脱し、該物料保存区に戻り、
該検査測定分類区(或いは計数、装填区)は該各薬物送料行程の終点で、該各薬物は安定し、向きが定まった状態で、後続の検査測定、計数、或いは装填作業を行うことができ、こうして自動循環輸送システムを利用し、及び送料過程中において予め該各薬物に対して篩い分け動作を行うことで、顆粒状薬物の検査測定分類、計数、或いは装填の正確性と品質を向上させることができ、さらには様々な顆粒薬物の輸送に必要な送料スライド板を省くことができることを特徴とする薬物の送料循環システムとしている。
請求項７の考案は、請求項６記載の薬物の送料循環システムにおいて、前記輸送ユニットは輸送管路と真空吸い取り器により組成し、該輸送管路両端はそれぞれ該物料保存区と該入料区に接続し、該真空吸い取り器は該輸送管路中段の適当な位置に設置し、こうして真空流体方式で薬物の循環輸送を行うことができることを特徴とする薬物の送料循環システムとしている。
請求項８の考案は、請求項６記載の薬物の送料循環システムにおいて、前記ろ芯上には若干のろ孔を形成し、該各ろ孔の孔径サイズは、検査測定しようとする様々な顆粒状薬物の円径サイズに応じて設計し、しかも様々な薬物の外径サイズの変化に従い、該各ろ孔の該ろ芯上に位置する中心位置は異なり、こうして該ろ芯は様々なサイズの薬物に対して調整を行う時、該各薬物の該スライド道上に位置する中心位置に正確に対応することができることを特徴とする薬物の送料循環システムとしている。
請求項９の考案は、請求項６或いは請求項８記載の薬物の送料循環システムにおいて、前記ろ芯は該薬物を通過させるろ孔に相対する反対端にさらに導管を接続し、該導管と該ろ芯間は可動接続を呈し、該ろ芯を手動或いは自動方式で回転動させる時、該各ろ孔はすべて該導管に対応し、こうして薬物は定方向、安定した状態で検査測定分類区(或いは計数、装填区)に到達することができることを特徴とする薬物の送料循環システムとしている。
請求項１０の考案は、請求項６記載の薬物の送料循環システムにおいて、前記送料スライド板及びろ芯が一体に結合する構造である場合には、該ふるい孔は該スライド道が該ろ孔に接続する端面の適当な位置に貫通し形成することを特徴とする薬物の送料循環システムとしている。
請求項１１の考案は、請求項６記載の薬物の送料循環システムにおいて、前記スライド道両側の定位面は一定角度の傾斜構造を呈し、おおむねＶ字型を呈し、こうして異なる円径サイズのカプセル薬物のスライド移動に適用可能となることを特徴とする薬物の送料循環システムとしている。
【考案の効果】
【０００８】
本考案は薬物の検査測定分類、計数、或いは装填の歩留りと品質を向上させることができ、さらには異なるサイズの薬物を輸送する時に必要な送料モールドの数量と交換上の不便を省くことができる。
【考案を実施するための最良の形態】
【０００９】
図１〜５に示すように、本考案薬物送料機構及びそれを応用した送料循環システムは、物料保存区１、輸送ユニット２、入料区３、送料機構４、検査測定分類区(或いは計数、装填区。以下は検査測定分類区に統一する)５などにより組成する顆粒状薬物の循環システムである。
該物料保存区１は検査測定或いは計数、装填輸送しようとする薬物の収納、補完、保存に用い、輸送循環システム全体の起点である。
該輸送ユニット２は輸送管路３０と真空吸い取り器４０により組成する。該輸送管路３０両端はそれぞれ該物料保存区１と該入料区３に接続し、該真空吸い取り器４０は該輸送管路３０中段の適当な位置に設置する。こうして真空流体方式で薬物を該物料保存区１から該入料区３へと輸送し検査測定(或いは計数、装填)の循環輸送を行うことができる。
該入料区３は震動機器(図示なし)を設置し、震動方式を利用し各堆積している薬物を一定の方向に従い整列移動させ、順番に該送料機構４が提供する送料行程へと滑落させる。
【００１０】
該送料機構４は該入料区３と該検査測定分類区５の間に設置し、送料スライド板１０と方向斎整ろ過ユニット２０により組成する。該送料スライド板１０は斜めを呈し設置する長方形板体で、一端は該入料区３と接続し、その上には少なくとも１個のスライド道１１を形成する。該スライド道１１は直線構造を呈し、しかも両側には幾何形状変化を呈する定位面１１１を形成し、各種異なる外形、サイズの薬物をスライド移動させることができる。該２個の定位面１１１形状の変化は、スライド輸送しようとする薬物の形態に応じて決定し、本考案の実施例を例とする。もし検査測定或いは計数、装填しようとする薬物がカプセル形状であるなら、該スライド道１１はおおむねＶ字型を呈し、両側の定位面１１１は一定角度の傾斜構造を呈する。こうして異なる円径サイズのカプセル薬物のスライド移動に適用可能となる。
【００１１】
該方向斎整ろ過ユニット２０は該スライド道１１の反対端に設置し、ろ芯２１及びふるい孔２２により組成する。
該ろ芯２１はロール状の構成部品で、中心に相対する外周の適当な位置には若干の異なる孔径のろ孔２１１を形成する。該各ろ孔２１１の孔径の大きさは、検査測定しようとする様々なカプセル状薬物の円径サイズに対応し設計し、該検査測定しようとする薬物の外径よりやや大きい。しかも様々な薬物サイズの変化に従い、該各ろ孔２１１の該ろ芯２１上での中心位置もまた異なる。こうして該ろ芯２１は異なるサイズの薬物に対して自動的に調整を行う時、該各薬物の該スライド道１１上の中心位置に正確に対応することができる。
該ふるい孔２２は該ろ芯２１と該スライド道１１間に設置し、貫通した孔空間で、該ろ芯２１と該送料スライド板１０両端縁から離れて形成される。
また図２に示すように、該送料スライド板１０と該ろ芯２１が一体に結合する構造である場合には、該ふるい孔２２は該スライド道１１が該ろ孔２１１に接続する端面の適当な位置に形成する。
【００１２】
スライド移動する薬物が一定の向きを呈し整然と排列する時、該スライド道１１に従い該ろ孔２１１を通過し、さらに後続の検査測定或いは計数、装填動作を継続し行うことができる(図４参照)。
もし薬物が一定の向きを呈さずスライド移動するなら、該ろ孔２１１を通過することはできず、そのスライド移動ルートを離脱し、該ふるい孔２２を経由し、該物料保存区１に戻る(図５参照)。こうして新たに循環の送料行程を行う。
該ふるい孔２２設計の原則は、上記薬物選定の目的に基づき、若干の該スライド道１１に沿ってスライド移動する様々なサイズの薬物中の最小サイズの薬物がスライド移動し超えることができるもので、最大サイズの薬物は該ふるい孔２２から落下する。
さらに該ろ芯２１は、薬物を通過させるろ孔２１１に相対する反対端に、さらに導管２３を接続する。該導管２３と該ろ芯２１間は可動接続を呈し、その反対端は垂直方向に該検査測定分類区５に対応し、軸方向及び方向を安定させる作用を備える。該ろ芯２１は手動或いは自動方式で任意のろ孔２１１の位置を回転動調整する時、該各ろ孔２１１はすべてが導管２３に対応する。こうして通過する薬物は安定し、垂直の向きが定まった状態で、該検査測定分類区５に到達する。
【００１３】
該検査測定分類区５は該各薬物送料行程の終点で、検査測定器具(或いは計数機器、或いは装填機器)を設置する。こうして該各薬物は安定し、向きが定まった状態で、後続の検査測定、計数、或いは装填作業を行うことができる。
上記の構造部品の組成により、該送料スライド板１０のスライド道１１の定方向で、しかも同時に多種のサイズの薬物のスライド移動に適用することができる構造、及び該方向斎整ろ過ユニット２０を利用し、該各薬物の排列状態に基づき、同時に検査測定(或いは計数、装填)前の篩い分けと転向動作を行うことができる。これにより顆粒状薬物の検査測定分類、計数、或いは装填の正確性と品質を向上させることができ、さらには送料スライド板１０のスライド道１１設計により、顆粒状薬物送料モールドの製造を簡易化することができ、及び多種の円柱状カプセル規格の一体適用の長所を備える。
【図面の簡単な説明】
【００１４】
【図１】本考案循環システムの簡易概略図である。
【図２】本考案別種の送料機構設計を循環輸送システムに応用する簡易概略図である。
【図３】本考案送料機構の立体概略図である。
【図４】本考案送料循環の使用状態概略図である。
【図５】本考案別種の送料循環の使用状態概略図である。
【符号の説明】
【００１５】
１  物料保存区
１０  送料スライド板
１１  スライド道
１１１  定位面
２  輸送ユニット
２０  方向斎整ろ過ユニット
２１  ろ芯
２１１  ろ孔
２２  ふるい孔
２３  導管
３  入料区
３０  輸送管路
４  送料機構
４０  真空吸い取り器
５  検査測定分類区
【図１】
0003142668.tif 000003
【図２】
0003142668.tif 000004
【図３】
0003142668.tif 000005
【図４】
0003142668.tif 000006
【図５】
0003142668.tif 000007